(57)【要約】【課題】往信封筒と返信封筒に兼用でき、往信時に必要な情報を併せて印刷することができる往復封筒用シートを提供する。【解決手段】上紙１１に返信宛名部２１と返信剥離部２２と往信剥離部２３を連接し、下紙１２に封筒裏面部２５と返信封緘部２６と往信封緘部２７を連接するとともに、返信宛名部２１と封筒裏面部２５を周縁三辺に沿って接着して封筒開口部２９を形成し、返信剥離部２２と返信封緘部を剥離可能に貼り合わせ、往信剥離部２３と往信封緘部２７を剥離可能に貼り合わせることによって往復封筒用シート１０を構成するようにした。【選択図】図１
2010052743.tif 000002
【特許請求の範囲】
【請求項１】
上紙と下紙を重ね合わせて構成される往復封筒用シートであって、
上紙に、返信封筒の宛名面になる返信宛名部と、返信宛名部に切り取り線を介して連接された返信封筒の剥離紙になる返信剥離部と、返信剥離部に切り取り線を介して連接された往信封筒の剥離紙になる往信剥離部とが設けられ、
下紙に、往信封筒及び返信封筒の裏面になる封筒裏面部と、封筒裏面部に折り線を介して連接された返信封筒の封緘部になる返信封緘部と、返信封緘部に切り取り線を介して連接された往信封筒の封緘部になる往信封緘部とが設けられており、
返信宛名部と封筒裏面部を周縁三辺に沿って接着して残りの一辺に封筒開口部が形成され、返信剥離部に塗布した剥離層と返信封緘部に塗布した粘着層とが剥離可能に貼り合わされ、往信剥離部に塗布した剥離層と往信封緘部に塗布した粘着層とが剥離可能に貼り合わされている
ことを特徴とする往復封筒用シート。
【請求項２】
上紙と下紙を重ね合わせて構成される往復封筒用シートであって、
上紙に、返信封筒の宛名面になる返信宛名部と、返信宛名部に切り取り線を介して連接された返信封筒の剥離紙になる返信剥離部と、返信剥離部に切り取り線を介して連接された往信封筒の剥離紙になる往信剥離部及び往信封筒の宛名ラベルになる往信宛名部とが設けられ、
下紙に、往信封筒及び返信封筒の裏面になる封筒裏面部と、封筒裏面部に折り線を介して連接された返信封筒の封緘部になる返信封緘部と、返信封緘部に切り取り線を介して連接された往信封筒の封緘部になる往信封緘部とが設けられており、
返信宛名部と封筒裏面部を周縁三辺に沿って接着して残りの一辺に封筒開口部が形成され、返信剥離部に塗布した剥離層と返信封緘部に塗布した粘着層とが剥離可能に貼り合わされ、往信剥離部に塗布した剥離層と往信封緘部に塗布した粘着層とが剥離可能に貼り合わされ、往信宛名部に交互に隣接塗布した粘着層及び剥離層と往信封緘部に交互に隣接塗布した剥離層及び粘着層とが剥離可能に貼り合わされている
ことを特徴とする往復封筒用シート。
【請求項３】
往信宛名部に塗布した粘着層及び剥離層と、往信封緘部に塗布した剥離層及び粘着層がそれぞれ縞模様状に配置されている
ことを特徴とする請求項２に記載の往復封筒用シート。
【請求項４】
往信宛名部に塗布した粘着層及び剥離層と、往信封緘部に塗布した剥離層及び粘着層がそれぞれ市松模様状に配置されている
ことを特徴とする請求項２に記載の往復封筒用シート。
【発明の詳細な説明】
【技術分野】
【０００１】
本発明は、往信封筒として使用した後に返信封筒としても使用することができる往復封筒用シートに関する。
【背景技術】
【０００２】
近年、レンタルショップでは、顧客がインターネットを通じてレンタル注文したＣＤやＤＶＤを顧客の自宅宛に配送するサービス、いわゆるネット宅配レンタルサービスを実施している。このサービスによると、店舗では配送用封筒に返却用封筒を同封してＣＤやＤＶＤ等のディスクを配送し、顧客は視聴し終わったディスクを返却用封筒に入れて郵便ポストに投函して返却するシステムになっている。また、最近では、配送用封筒（往信封筒）と返却用封筒（返信封筒）を兼用できる往復封筒も提案されている（例えば下記の特許文献１を参照）。
【０００３】
ところで、上記のようなネット宅配レンタルサービスにおいて、店舗ではレンタル注文されたディスクを配送する際に、商品コードや返却期限等を記入したピッキングリストを使用して注文内容と配送内容とを照合するようにしている。また、配送用封筒にサービスの利用案内や新作の紹介等の広告情報を印刷した書類を同封して配送することもある。しかし、従来これらの書類は配送用封筒とは別に印刷して用意していたため、印刷作業が面倒であり、コストも嵩む上、資源の無駄使いであるという問題が指摘されていた。また、別々に用意したピッキングリストと配送用封筒の宛先を見比べながらディスクの封入作業を行わなければならず、誤って別の封筒に違うディスクを入れて配送してしまう誤配が起こる原因になっていた。
【０００４】
【特許文献１】実用新案登録第３１３９６３６号公報
【発明の開示】
【発明が解決しようとする課題】
【０００５】
本発明は上記のような問題を解決するためになされたものであり、その目的とするところは、往信封筒と返信封筒に兼用される往復封筒用シートにおいて、往信時に関連する必要な情報を同時に印刷することができる往復封筒用シートを提供することにある。
【課題を解決するための手段】
【０００６】
上記の目的を達成するため、本発明は、上紙と下紙を重ね合わせて構成される往復封筒用シートであって、上紙に、返信封筒の宛名面になる返信宛名部と、返信宛名部に切り取り線を介して連接された返信封筒の剥離紙になる返信剥離部と、返信剥離部に切り取り線を介して連接された往信封筒の剥離紙になる往信剥離部とが設けられ、下紙に、往信封筒及び返信封筒の裏面になる封筒裏面部と、封筒裏面部に折り線を介して連接された返信封筒の封緘部になる返信封緘部と、返信封緘部に切り取り線を介して連接された往信封筒の封緘部になる往信封緘部とが設けられており、返信宛名部と封筒裏面部を周縁三辺に沿って接着して残りの一辺に封筒開口部が形成され、返信剥離部に塗布した剥離層と返信封緘部に塗布した粘着層とが剥離可能に貼り合わされ、往信剥離部に塗布した剥離層と往信封緘部に塗布した粘着層とが剥離可能に貼り合わされていることを特徴とするものである。
【０００７】
また、本発明は、上紙と下紙を重ね合わせて構成される往復封筒用シートであって、上紙に、返信封筒の宛名面になる返信宛名部と、返信宛名部に切り取り線を介して連接された返信封筒の剥離紙になる返信剥離部と、返信剥離部に切り取り線を介して連接された往信封筒の剥離紙になる往信剥離部及び往信封筒の宛名ラベルになる往信宛名部とが設けられ、下紙に、往信封筒及び返信封筒の裏面になる封筒裏面部と、封筒裏面部に折り線を介して連接された返信封筒の封緘部になる返信封緘部と、返信封緘部に切り取り線を介して連接された往信封筒の封緘部になる往信封緘部とが設けられており、返信宛名部と封筒裏面部を周縁三辺に沿って接着して残りの一辺に封筒開口部が形成され、返信剥離部に塗布した剥離層と返信封緘部に塗布した粘着層とが剥離可能に貼り合わされ、往信剥離部に塗布した剥離層と往信封緘部に塗布した粘着層とが剥離可能に貼り合わされ、往信宛名部に交互に隣接塗布した粘着層及び剥離層と往信封緘部に交互に隣接塗布した剥離層及び粘着層とが剥離可能に貼り合わされていることを特徴とする。
【０００８】
本発明の往復封筒用シートにおいて、往信宛名部に塗布した粘着層及び剥離層と、往信封緘部に塗布した剥離層及び粘着層がそれぞれ縞模様状に配置されている構成や、往信宛名部に塗布した粘着層及び剥離層と、往信封緘部に塗布した剥離層及び粘着層がそれぞれ市松模様状に配置されている構成を採用しても良い。
【発明の効果】
【０００９】
本発明によれば、上述したようなネット宅配レンタルサービスにおけるディスク送付用封筒として好適に使用することができる。すなわち、返信宛名部と封筒裏面部をＣＤやＤＶＤ等の商品を収容できるサイズに設定し、往信剥離部にピッキングリストや広告情報を印刷するようにする。これにより、封筒とは別に書類を用意する必要が無く、配送時の印刷作業を簡素化できるとともにコスト削減を図ることができる。また、商品の封入作業の時に、封筒に印刷されたピッキングリストを見ながら同じ封筒内に商品を封入すれば良いため、誤って別の商品を配送してしまうといった誤配を確実に防止することができる。
【発明を実施するための最良の形態】
【００１０】
以下、本発明の実施形態を図面に基づいて説明する。
【００１１】
始めに、本発明の往復封筒用シートの構成について、図１〜図３を参照しながら説明する。図１は往復封筒用シートの外観図、図２は同シートの分解図、図３は同シートの断面図である。
【００１２】
図１に示すように、本実施形態の往復封筒用シート１０は、往信封筒と返信封筒に兼用できるようにした帳票であり、上紙１１と下紙１２の２枚の用紙を重ね合わせ、両者を部分的に貼り合わせることにより構成されている。
【００１３】
図１（ａ）において、上紙１１はクラフト紙や上質紙などの封筒用紙からなり、この１枚の用紙に返信宛名部２１と、返信剥離部２２と、往信剥離部２３と、往信宛名部２４が設けられている。
【００１４】
返信宛名部２１は、往復封筒用シート１０を返信封筒にしたときの宛名面に相当する部分であり、封筒内に入れる内容物に合わせてその大きさが設定される。返信剥離部２２は、返信封筒の封緘時に剥離される剥離紙に相当する部分であり、切り取り線として設けたスリット３１を介して返信宛名部２１に連接されている。往信剥離部２３は、往信封筒の封緘時に剥離される剥離紙に相当する部分であり、切り取り線として設けたミシン目３２を介して返信剥離部２２に連接されている。往信宛名部２４は、往信封筒の宛名面に貼り付ける宛名ラベルに相当する部分であり、切り取り線として設けたスリット３３を介して往信剥離部２３に連接され、ミシン目３２を介して返信剥離部２２にも連接されている。なお、返信剥離部２２と往信剥離部２３を合わせた縦の長さＬ１は返信宛名部２１の縦の長さＬ２よりも短く設定されている。
【００１５】
図１（ｂ）において、下紙１２は上紙１１と同一サイズのクラフト紙や上質紙などの封筒用紙からなり、この用紙には封筒裏面部２５と、返信封緘部２６と、往信封緘部２７が設けられている。
【００１６】
封筒裏面部２５は、往信封筒及び返信封筒における封筒裏面に相当する部分であり、返信宛名部２１と同じ大きさに設定される。返信封緘部２６は、返信封筒を封緘する際のフラップに相当する部分であり、折り線として設けたプレスミシン目３４を介して封筒裏面部２５に連接されている。往信封緘部２７は、往信封筒を封緘する際のフラップに相当する部分であり、切り取り線として設けたミシン目３５を介して返信封緘部２６に連接されている。なお、往信封緘部２７の大きさは往信剥離部２３と往信宛名部２４を合わせた大きさと同じである。
【００１７】
図２（ａ）に示すように、上紙１１の裏面を見ると、返信宛名部２１には糊類が何も塗布されていないが、返信剥離部２２と往信剥離部２３には全域にわたってシリコーンを主成分とするメジウムやニス等のシリコーン系剥離剤を塗布した剥離層４１が設けられている。また、往信宛名部２４には、接着力の弱い弱粘着剤を塗布した粘着層４２と、シリコーン系剥離剤を塗布した剥離層４３とが交互に隣接して設けられている。粘着層４２を構成する弱粘着剤としては、貼付後に手で容易に剥がせる程度の接着力を有するものであれば良く、例えばアクリル酸エステル共重合体からなる再剥離粘着糊等を使用することができる。なお、本実施形態では粘着層４２と剥離層４３がそれぞれ縦縞模様状に配置されているが、往信宛名部２４を往信封筒に貼り付けた後で剥がれにくくするためには、図のように粘着層４２を往信宛名部２４の両端に配置するのが好ましい。
【００１８】
図２（ｂ）に示すように、下紙１２の表面を見ると、封筒裏面部２５には周縁三辺に沿って接着剤を塗布した接着層４４が設けられている。接着層４４を構成する接着剤としては、貼付後に剥がれることがないような強い接着力を有するものが好ましく、例えば酢酸ビニル・アクリル酸エステル共重合水性エマルジョンからなる強接着粘着糊を使用することができる。また、返信封緘部２６と往信封緘部２７の一部の領域（往信剥離部２３に対応する領域）には、いずれも往信宛名部２４と同じ弱粘着剤を塗布した粘着層４５が設けられている。さらに、往信封緘部２７の残りの領域（往信宛名部２４に対応する領域）には、往信宛名部２４とは逆の順序で剥離層４６と粘着層４７がそれぞれ縦縞模様状に配置されている。
【００１９】
上紙１１と下紙１２を重ねて貼り合わせると、図３（ａ）に示すように、返信宛名部２１と封筒裏面部２５との接合断面では、接着層４４によって周縁三辺が接着されてその内側に封筒収容部２８が形成され、残りの一辺に封入口となる封筒開口部２９（図１を参照）が形成される。また、図３（ｂ）に示すように、返信剥離部２２と返信封緘部２６との接合断面では、上紙裏面の剥離層４１と下紙表面の粘着層４５とが剥離可能に疑似接着される。さらに、図３（ｃ）に示すように、往信剥離部２３と往信封緘部２７との接合断面では、上紙裏面の剥離層４１と下紙表面の粘着層４５とが剥離可能に疑似接着され、往信宛名部２４と往信封緘部２７との接合断面では、上紙裏面に縞模様状に配置された粘着層４２及び剥離層４３と下紙表面に縞模様状に配置された剥離層４６及び粘着層４７とが剥離可能に疑似接着される。
【００２０】
本実施形態の往復封筒用シートは以上のように構成されており、以下その使用方法について、図４〜図１０を参照しながら説明する。なお、ここではネット宅配レンタルサービスにおいて往復封筒用シートを使用する例を挙げて説明するが、この往復封筒用シートの用途は以下の例に限られない。
【００２１】
ネット宅配レンタルサービスを利用して顧客がＤＶＤをレンタル注文すると、レンタルショップでは注文されたＤＶＤをこの往復封筒用シート１０を用いて顧客の自宅宛に配送する。
【００２２】
まずレンタルショップでは、顧客の注文内容と配送内容とを照合するために、図４に示すように往復封筒用シート１０の往信剥離部２３に商品コード、タイトル名、返却期限、金額等を記入したピッキングリストを印刷する。また、往信宛名部２４にＤＶＤの配送先となる顧客の郵便番号、住所、氏名等の宛先を印字する。さらに、返信宛名部２１にＤＶＤの返却先となる店舗の郵便番号、住所、名称等の宛先を印字する。ここで、往信剥離部２３と往信宛名部２４と返信宛名部２１はすべて往復封筒用シート１０の表面に集約されており、これらの印刷はプリンタの片面印刷で対応できるため、迅速な処理が行える。なお、返信宛名部２１の宛先については、その都度印字するのではなく予め印字しておいても良い。
【００２３】
次に、店員は注文されたＤＶＤ５０，５０，…を封筒開口部２９から封筒収容部２８内に封入する作業を行う。このとき、封筒の往信剥離部２３に印刷されたピッキングリストを確認しながら同じ封筒内に商品を封入すれば良いので、誤って別の商品を配送してしまうトラブルを確実に防止できる。そして、封入作業が終わったら、次のようにして封緘作業を行う。まず、図５に示すように、往復封筒用シート１０からピッキングリストを剥がす。ピッキングリストが印刷された往信剥離部２３をめくると、剥離層４１と粘着層４５の疑似接着面を介して剥離される。剥がし取ったピッキングリストは店舗に控えとして保管しても良いし、顧客への納品書として封筒収容部２８内に同封して配送しても良い。
【００２４】
また、往復封筒用シート１０から往信宛名部２４を剥がし取り、剥がし取った往信宛名部２４を裏面の往信封緘部２７に貼り付ける。往信宛名部２４をめくると、互い違いに配置された粘着層４２及び剥離層４３と剥離層４６及び粘着層４７との疑似接着面を介して剥離され、往信宛名部２４をその裏面に露出した粘着層４２によって往信封緘部２７に貼り付けることができる。なお、往信封緘部２７が折り返されることを考慮して、往信宛名部２４は往信封緘部２７の宛名面に逆さまにして貼り付けるようにする。
【００２５】
そして、図６に示すように、往復封筒用シート１０の裏面に設けられたプレスミシン目３４を山折りして折り返し、返信宛名部２１の上に往信封緘部２７を貼り合わせる。往信封緘部２７の裏面には往信剥離部２３と往信宛名部２４を剥がし取った後に粘着層４５，４７が露出するので、この粘着層４５，４７によって往信封緘部２７が返信宛名部２１に貼り付けられる。これにより、封筒開口部２９を往信封緘部２７で封緘した往信封筒１３が完成し、往信宛名部２４に表示された顧客の自宅宛にＤＶＤ５０，５０，…を配送することができる。
【００２６】
これに対して、往信封筒１３を受け取った顧客は、図７に示すように往信封筒１３を開封する。ここで、往信封緘部２７は手で剥がせる程度の弱い接着力の粘着層４５，４７で貼り付いているため、往信封緘部２７をめくるだけで返信宛名部２１から簡単に剥がれ、往信封筒１３を開封することができる。そして、図８に示すように、開封した往信封筒１３に収容されているＤＶＤ５０，５０，…を封筒開口部２９から取り出し、注文した作品を視聴することができる。
【００２７】
視聴が終わるとＤＶＤ５０を返却するが、その返却方法は次のようにして行う。まず図９に示すように、開封した往信封筒１３のミシン目３５を切り取って往信封緘部２７を切り離す。次に、返却するＤＶＤ５０を封筒開口部２９から封筒収容部２８内に封入し、往信封筒１３から返信剥離部２２を剥がし取る。返信剥離部２２をめくると、剥離層４１と粘着層４５の疑似接着面を介して返信封緘部２６から剥離される。
【００２８】
そして、図１０に示すように、封筒裏面に設けられたプレスミシン目３４を再度山折りして折り返し、返信宛名部２１の上に返信封緘部２６を貼り合わせる。返信封緘部２６の裏面には返信剥離部２２を剥がし取った後に粘着層４５が露出するので、この粘着層４５によって返信封緘部２６が返信宛名部２１に貼り付けられる。これにより、封筒開口部２９を返信封緘部２６で封緘した返信封筒１４が完成し、この返信封筒１４をそのまま郵便ポストに投函すれば、返信宛名部２１に表示された店舗宛にＤＶＤ５０を返却することができる。
【００２９】
このように、本発明の往復封筒用シート１０を利用すれば、往信封筒１３にＤＶＤ５０を封入して配送した後に、同じ封筒を返信封筒１４に変形させて兼用することによってＤＶＤ５０を返却することができる。
【００３０】
最後に、本発明の往復封筒用シートの変形例について、図１１と図１２に基づいて説明する。
【００３１】
上述した実施形態では、往信宛名部２４の粘着層４２及び剥離層４３と往信封緘部２７の剥離層４６及び粘着層４７とをそれぞれ相対する縞模様状に配置したが、これに代えて図１１に示すような市松模様状に配置しても良い。このような形状にすると、接着力のない剥離層４３と剥離層４６が連続しなくなり、粘着層４２と粘着層４７がそれぞれ細かく点在するようになる。したがって、貼り付け時に皺の発生を防ぎ、往信宛名部２４及び往信封緘部２７をより確実に貼り付けることができる。
【００３２】
また、上述した実施形態において、上紙１１に往信宛名部２４を設けて往信封筒１３に宛名ラベルとして貼り付けるようにしたが、この往信宛名部２４は必ずしも設ける必要はない。例えば図１２に示すように、往信宛名部２４を無くし、その部分をすべて往信剥離部２３にして剥離層４１と粘着層４５の疑似接着構造にしても良い。そして、印刷時にはプリンタの両面印刷機能を利用して、裏面の往信封緘部２７に返信先の宛名を直接印字するようにする。このようにすれば、往信封筒１３の作成時に宛名ラベルを貼り付ける手間が省けるので、配送作業が簡単になる。また、往信宛名部２４の分だけ印刷スペースが広がるので、ピッキングリスト以外に例えばサービスの利用案内や近日入荷予定の作品紹介等の広告情報を印刷し、封緘時に剥がし取った往信剥離部２３を往信封筒１３に同封して配送することもできる。
【図面の簡単な説明】
【００３３】
【図１】往復封筒用シートの外観図で、（ａ）は同シートを表側から見た図、（ｂ）は同シートを裏側から見た図である。
【図２】往復封筒用シートの分解図で、（ａ）は上紙を裏側から見た図、（ｂ）は下紙を表側から見た図である。
【図３】往復封筒用シートの断面図で、（ａ）は図１のＡ−Ａ線断面図、（ｂ）は図１のＢ−Ｂ線断面図、（ｃ）は図１のＣ−Ｃ線断面図である。
【図４】往復封筒用シートに印刷した後の状態を示す説明図である。
【図５】往復封筒用シートから往信剥離部と往信宛名部を剥がし取る時の状態を示す説明図である。
【図６】往信封筒を封緘する時の状態を示す説明図である。
【図７】往信封筒を開封する時の状態を示す説明図である。
【図８】往信封筒からＤＶＤを取り出す時の状態を示す説明図である。
【図９】往信封筒から往信封緘部を切り離す時の状態を示す説明図である。
【図１０】返信封筒を封緘する時の状態を示す説明図である。
【図１１】往復封筒用シートの他の構成例を示す図で、（ａ）は往信宛名部を裏側から見た図、（ｂ）は往信封緘部を表側から見た図である。
【図１２】往復封筒用シートのさらに他の構成例を示す図である。
【符号の説明】
【００３４】
１０  往復封筒用シート
１１  上紙
１２  下紙
１３  往信封筒
１４  返信封筒
２１  返信宛名部
２２  返信剥離部
２３  往信剥離部
２４  往信宛名部
２５  封筒裏面部
２６  返信封緘部
２７  往信封緘部
２８  封筒収容部
２９  封筒開口部
３１  スリット
３２  ミシン目
３３  スリット
３４  プレスミシン目
３５  ミシン目
４１  剥離層
４２  粘着層
４３  剥離層
４４  接着層
４５  粘着層
４６  剥離層
４７  粘着層
【図１】
2010052743.tif 000003
【図２】
2010052743.tif 000004
【図３】
2010052743.tif 000005
【図４】
2010052743.tif 000006
【図５】
2010052743.tif 000007
【図６】
2010052743.tif 000008
【図７】
2010052743.tif 000009
【図８】
2010052743.tif 000010
【図９】
2010052743.tif 000011
【図１０】
2010052743.tif 000012
【図１１】
2010052743.tif 000013
【図１２】
2010052743.tif 000014